(57)【要約】      （修正有）【課題】便所内に容易に携帯電話機を置く場所を提供し、同時に、便所内の消臭効果を上げるトイレットペーパーホルダーのトイレットペーパーカバーの上部に設置するシートを提供する。【解決手段】トイレットペーパーホルダーのトイレットペーパーカバー７の上部に、表面に消臭剤を練り込んだＲＴＶゴム製の印刷インキで絵柄を印刷して、その上に透明のＲＴＶゴム製インキでドット印刷を重ね合わせた印刷層を設け、さらに裏面に自己粘着性を有するＲＴＶゴム製の印刷インキで逆ドット印刷を施した。【選択図】図２
2015073888.tif 000002
【特許請求の範囲】
【請求項１】
表面に消臭剤を練り込んだＲＴＶゴム製の印刷インキで絵柄を印刷して、その上に透明のＲＴＶゴム製インキでドット印刷を重ね合わせた印刷層を設け、さらに裏面に自己粘着性を有するＲＴＶゴム製の印刷インキで逆ドット印刷を施してあることを特徴としたトイレットペーパーホルダーのトイレットペーパーカバーの上部に設置するシート。
【発明の詳細な説明】
【技術分野】
【０００１】  本発明は、トイレットペーパーホルダーのトイレットペーパーカバー（以下カバーと称す）の上部に設置する消臭と滑り止めの効果を有するシリコーンゴム製シートに関する。
【背景技術】
【０００２】  近年は携帯電話の需要に著しいものがあり、殆ど一人に一台ないし二台以上を所持する時代になり、どのような状況下でも電話が掛かってくる予測し難いものがある。【０００３】  時には便所内での用足し中にも電話が掛かってくる場合に遭遇することがしばしばあるが、便所内には適切な携帯電話機を置く場所が見当たらず、ポケットなどに携帯電話機を入れたまま便所内に持ち込んで携帯電話機を取り落とすようなことがある。【０００４】  また、用足し中便所外に置いてある携帯電話機の受信信号があっても電話受信できずに用足し後、再度電話お掛け直すなどの不便がある。
【発明の概要】
【発明が解決しようとする課題】
【０００５】  本発明は、便所内に容易に携帯電話機を置く場所を提供することにあり、便所内に携帯電話機を持ち込み、安心して電話受信できることを課題とし、同時に、便所内の環境上、消臭効果を上げることをも課題とするものである。【０００６】  また、本発明は、便所内のトイレットペーパーホルダーのカバーの上部に携帯電話機の置く場所とした場合、前記カバーの上部から携帯電話機が簡単に滑り落ちないようにすることも課題とした。
【課題を解決するための手段】
【０００７】  本発明は、シリコーンゴム製シートを使用し、そのシート表面に視覚効果が得られるように絵柄印刷を施し、さらに、絵柄印刷の表面に滑り止め効果を出すドット印刷を施し、また、裏面には自己粘着性を持つＲＴＶゴム製の印刷インキで逆ドット印刷を施したトイレットペーパーホルダーの上部に設置できるシートを発明し、便所内のトイレットペーパーホルダーのカバーの上部を携帯電話機の設置場所とすることを提供する。【０００８】  また、本発明に使用する基材となるシリコーンゴム製シートには、ミラブル型シリコーンゴムシートを使用し、前記シートの厚さは任意に選定可能であるが、加工性、経済性を考慮して約１ｍｍ前後の厚さのシートを使用するが望ましい。【０００９】  本発明のトイレットペーパーホルダーのカバーの上部に設置するシリコーンゴム製シートについて、視覚効果を上げるためのＲＴＶゴム製印刷のインキの各色には天然鉱物質微細粒消臭剤（シュークレンズ）を約２０％重量混合したものを使用し、シルク印刷方式あるいはインクジェット方式で絵柄印刷を施し、便所内の消臭効果と視覚的な雰囲気を変えることができる前記シリコーンゴム製シートを提供する。【００１０】  さらに、本発明の前記絵柄印刷を施したシリコーンゴム製シートの絵柄印刷の表面に透明ＲＴＶゴム製インクで０．１５ｍｍ径高さ０．０１ｍｍのドットを０．０５ｍｍ間隔で前記シート全面にシルク印刷あるいはインクジェット印刷方式で印刷を施し、前記シート表面に凹凸をつけて滑り止め効果を付与した前記シリコーンゴム製シートを提供する。【００１１】  また、本発明の前記シリコーンゴム製シートの裏面には自己粘着性を有するＲＴＶゴム製のインクで３ｍｍ径の凹み深さ０．０２ｍｍの逆ドットを０．５ｍｍ間隔で前記シリコーンゴム製シート裏面全面にシルク印刷もしくはインクジェット印刷を行い、トイレットペーパーホルダーのカバー上部に前記シートを設置した時、前記シートが前後左右に容易にズレたりしないような工夫をしたシリコーンゴム製シートを提供する。
【発明の効果】
【００１２】  本発明は、携帯電話の受信に対して如何なる状況の場合でも対応できることを考慮して発明したもので、便所に入ろうとした時、用足し中などに掛かってきた電話に対応するもので受信を確実にするためのものであり、トイレットペーパーホルダーのカバー上部に携帯電話機の置き場所を容易に提供することにより、電話受信と電話の掛け直しを防止する効果がある。【００１３】  本発明は、トイレットペーパーホルダーのカバーの上部に設置したシートに携帯電話機を置くことになるが、トイレットペーパーの直径が大きい場合は水平で携帯電話機が滑り落ちるケースは少ないが、設置するシートの表面には滑り止めを付与しているので、トイレットペーパーの直径が小さくなってトイレットペーパーホルダーのカバーが傾斜しても携帯電話機は滑り落ちることはない。【００１４】  本発明のシートの表裏の面はＲＴＹゴム製であるためにごみや異物など付着しにくく、もし、ゴミや異物が付着しても汚れても水洗すれば容易に汚れを除去するこことできる。【００１５】  また、本発明のシートは簡単な携帯電話機を置く場所を提供するだけでなく、便所内を消臭する効果を付与し、さらに、シートに多様な印刷図柄を施し、便所内の雰囲気を考慮した多機能性のシートである。
【図面の簡単な説明】
【００１６】
【図１】本発明のトイレットペーパーホルダーのカバーの上部に設置するシリコーンゴム製のシートの構成を示す斜視図。
【図２】本発明のシリコーンゴム製シートをトイレットペーパーホルダーのカバーの上部に設置した状況を示す斜視図。
【発明を実施するための最良の形態】
【００１７】  本発明を実施するための最良の形態として、具体的には今までに記述したようにトイレットペーパーホルダーのカバーの上部に設置するシリコーンゴム製シートの実施例により説明する。
【実施例１】
【００１８】  本発明の消臭効果のあるシートの製作実施にあたって、あらかじめ１ｍｍ厚みで横１２５ｍｍ×縦８０ｍｍの寸法の長方形のミラブル型シリコーンゴム製シート１を用意し、その表面に印刷するＲＴＶゴム製の赤、黒、白のシルク印刷用のインク３色を準備した。【００１９】  前記本発明のシートの表面印刷するＲＴＶゴム製の印刷インキには色顔料以外に天然鉱物質微細粒の消臭剤シュークレンズ２０％重量を各色に混合したものを使用し、３色の星柄のエンドレス図柄２をシルク印刷方式で印刷を実施した。【００２０】  さらに、本発明の前記シルク印刷を施したミラブル型シリコーンゴム製シートの表面に透明のＲＴＶゴム製シルク印刷用インクで、０．１５ｍｍ径で０．５ｍｍ間隔のドット柄３をシルク印刷方式で前記シート全面に印刷を実施し、高さ０．１ｍｍのＲＴＶゴム製ドットを３色の星柄のエンドレス図柄２の上に印刷し、最良の滑り止め効果を得ることができた。【００２１】  続いて、本発明の前記ミラブル型シリコーンゴム製シート１に前記図柄２を施した反対面（裏面）に自己粘着性を有するＲＴＶゴム製のシルク印刷用のインキを使用してシルク印刷方式で３ｍｍ径０．２ｍｍ円形凹みを０．５ｍｍ間隔の逆ドット柄４を設けて、容易に剥がすことができて、しかも所定の場所に設置しても前後左右に位置ズレしない良好な本発明の前記ミラブル型シリコーンゴム製シートの裏面を得ることができた。【００２２】  実施例のすべての工程を完了した前記ミラブル型シリコーンゴム製シートの形状を整えるために四隅をＲカットに仕上げて、トイレットペーパーホルダー６のカバー７の上部部分に前記ミラブル型シリコーンゴム製シートを設置して携帯電話の置き場所を確保した。【００２３】  便所内のトイレットペーパーホルダー６の上部部分に確保できた携帯電話機の置く場所に携帯電話機を置いたところ充分に携帯電話機を保持し、トイレットペーパー８を使用して殆どなくなりかけて、トイレットペーパー８の直径が小さくなり、カバー７が傾斜しても携帯電話機は滑る落ちることはなく良好な結果が得られた。
【符号の説明】
【００２４】  １  ミラブル型シリコーンゴム製シート。
２  星柄のエンドレス図柄。
３  ドット柄層。
４  逆ドット層。
５  実施例のシート。
６  トイレットペーパーホルダー。
７  トイレットペーパーホルダーのカバー。
８  トイレットペーパー。
【図１】
2015073888.tif 000003
【図２】
2015073888.tif 000004